(57)【特許請求の範囲】
【請求項１】
給電電圧要求の異なる種々の手段（１０，１５）を有する電気装置（１）において、
前記手段（１０，１５）にそれぞれ同じ給電電圧が供給され、
該給電電圧は切り替え可能であり、
該給電電圧は、手段（１０，１５）の目下最大の電圧要求に依存して調整されることを特徴とする
電気装置（１）。
【請求項２】
前記電気装置（１）は、光学的記憶ディスクのための再生装置として構成されており、かつ該再生装置（１）に挿入された光学的記憶ディスクを駆動する手段（１０）と、走査ユニット（５５）を位置決めする手段（１５）とを含む
請求項１に記載の装置。
【請求項３】
前記給電電圧が所定の第１の値を下回らない再生モードが設けられている
請求項２に記載の装置。
【請求項４】
前記給電電圧は所定の第２の値を下回らない振動モードが設けられている
請求項２または３に記載の装置。
【請求項５】
前記給電電圧は、シリーズ制御器（２０）によって調整され、該シリーズ制御器の出力信号は、少なくとも１つの制御スイッチ（９０，９５）によって切り替えられる
請求項１から４までのいずれか１項に記載の装置。
【請求項６】
前記給電電圧は、スイッチモード電源（２５）によって調整され、該スイッチモード電源の出力電圧は、少なくとも１つの制御信号によって切り替えられる
請求項１から５までのいずれか１項に記載の装置。
【請求項７】
評価回路（３０）が設けられており、該評価回路は、手段（１０，１５）の目下最大の所要電圧要求を求め、当該電圧要求に依存して少なくとも１つの制御信号を出力し、これによって所要の給電電圧を調整する
請求項１から６までのいずれか１項に記載の装置。
【請求項８】
光学的記憶ディスクを挿入および／または排出する手段（５）が設けられており、
該手段（５）に前記給電電圧が供給されており、
前記給電電圧を、前記手段（５）の電圧要求に依存して調整する
請求項２から７までのいずれか１項に記載の装置。
【請求項９】
前記給電電圧が所定の第３の値を下回らない、光学的記憶ディスクを挿入ないしは排出するための挿入／排出モードが設けられている
請求項８に記載の装置。
【発明の詳細な説明】
【０００１】
従来の技術
本発明は請求項１の上位概念に記載された電気装置に関する。
【０００２】
光学的記憶ディスクのための再生装置は、コンパクトディスクプレーヤの形態ですでに公知である。まだ公開されていないドイツ共和国特許出願第１９６４２３４３号からすでに、２つのディスクに挟み込まれたコンパクトディスクを回転するためのモータを有するコンパクトディスクドライブが公知である。ここではさらに読み出しヘッドが搬送機構に取り付けられており、これが読み出しヘッドを半径方向にコンパクトディスク上で移動させる。
【０００３】
発明の利点
これに対して請求項１の特徴部分に記載された構成を有する本発明の電気装置は、給電電圧を目下の最大の電圧要求にその都度適合させることができ、これによって電力損失を回避できるという利点を有する。さらに複数の手段に対して同じ給電電圧を使用することによって、付加的な電圧供給ユニットが省略され、ひいては材料と所要スペースとコストとが節約される。
【０００４】
さらに損失電力を最小化することによって、電力損失を排出する冷却面に要するスペースが比較的小さくてもよいという利点も得られる。
【０００５】
従属請求項に記載された手段によって、請求項１に記載された電気装置の有利な発展形態および改善が可能である。
【０００６】
有利であるのは、給電電圧が所定の第１の値を下回らない再生モードが設けられていることである。これにより光学的記憶ディスクを再生する際に、このために必要なエネルギーだけが消費され、不要な損失電力が発生しない。
【０００７】
別の利点は、給電電圧が所定の第２の値を下回らない振動モードが設けられていることである。これにより振動の下での再生動作時に比較的大きな制御ループゲインが得られ、そのため振動に起因する外乱を、光学的記憶ディスクの走査時に走査ユニットによって比較的良好に調整することができる。
【０００８】
さらに給電電圧はスイッチモード電源によって調整され有利である。これにより、利用可能な全給電電圧よりも低い電圧においては付加的な損失は発生しない。
【０００９】
また評価回路が設けられており、この評価回路によって、手段が目下必要とする最大の電圧要求を求め、この電圧要求に依存して制御信号を出力し、この制御信号によって手段に必要な給電電圧を調整することも有利である。これにより給電電圧を、手段が目下必要とする最大の電圧要求に自動的に適合させることができるため、電気装置はどの時点においても自動的に最小限の損失電力で駆動される。
【００１０】
別の利点は、光学的記憶ディスクを挿入および／または排出する手段が設けられており、この手段に給電電圧が供給され、この給電電圧がこの手段の電圧要求に依存して調整されることである。これにより給電機能性はさらに高まり、光学的記憶ディスクを挿入ないしは排出するための付加的な電圧供給部に対するスペースおよび材料が節約される。
【００１１】
別の利点は、給電電圧が光学的記憶ディスクの挿入ないしは排出に対する電圧要求に依存して調整されることにより、これに必要な比較的高い給電電圧を挿入ないしは排出のためにだけ供給すればよいため、損失電力が節約されることである。
【００１２】
別の利点は、給電電圧が所定の第３の値を下回らない、光学的記憶ディスクの挿入ないしは排出のための挿入／排出モードが設けられていることである。これにより光学的記憶ディスクの挿入ないしは排出のために必要なエネルギーが必要な場合に供給される。
【００１３】
図面
本発明の実施例を図面に示し、以下に詳しく説明する。図１は本発明の電気装置のブロック回路図を、図２はスイッチモード電源を制御する回路装置を、図３はシリーズ制御器を含む電圧供給ユニットを制御する回路装置を、図４は電気装置に配置された評価回路の動作の仕方についての流れ図を示している。
【００１４】
実施例の説明
図１において参照符号１は、コンパクトディスクプレーヤとして構成された電気装置、すなわち例えばコンパクトディスクまたはＣＤ−ＲＯＭである光学的記憶ディスクのための再生装置を示している。コンパクトディスクプレーヤ１は、駆動モータ１０を有しており、これが２つのプレートに挟み込まれたコンパクトディスクを回転駆動する。コンパクトディスクプレーヤ１はさらに、参照符号１５によってまとめたモータと調整素子を含んでおり、これらは走査ユニット５５を半径方向にコンパクトディスク上で移動させ、振動が走査ユニット５５の位置決めに与える影響を、制御ループによって制御領域において補償する。さらにローディングモータ５をコンパクトディスクプレーヤ１に設けることもでき、ローディングモータ５によってコンパクトディスクを、コンパクトディスクプレーヤ１のドライブへ挿入したり、ドライブから排出することができる。コンパクトディスクプレーヤ１の電圧供給ユニット３５は、光学的記憶ディスクを挿入ないしは排出するローディングモータ５、光学的記憶ディスクを回転駆動する駆動モータ１０、および走査ユニット５５を位置決めする手段１５を、１つの給電電圧だけで給電する。したがってローディングモータ５、駆動モータ１０、および走査ユニット５５の位置決め手段１５にそれぞれ、同じ給電電圧が電圧供給ユニット３５によって供給される。電圧供給ユニット３５は評価回路３０によって制御され、評価回路３０は、入力ユニット４０，エラー検出器４５，および光学的記憶ディスクのための挿入口内のコンパクトディスクセンサ機構５０に接続されている。さらにエラー検出器４５は走査ユニット５５に接続されている。
【００１５】
入力ユニット４０を用いてユーザはコンパクトディスクプレーヤ１を再生モードにし、コンパクトディスクプレーヤ１に挿入されたコンパクトディスクを再生することができる。またユーザは入力ユニット４０によって、目下の再生モードを終了させて、コンパクトディスクプレーヤ１のドライブ内にあるコンパクトディスクの排出させることもできる。センサ機構５０によって、挿入口に挿入されたコンパクトディスクを検出することができ、これによりコンパクトディスクプレーヤ１のドライブへの新たな挿入が、ローディングモータ５によって行われる。センサ機構５０は、コンパクトディスクをコンパクトディスクプレーヤ１のドライブから排出する時に、所定の排出位置に到達後にこの排出過程の終了を検出することもでき、これによってローディングモータ５を遮断して排出過程を終了させる。エラー検出器４５には、コンパクトディスクの走査時に走査ユニット５５によって求めたフォーカスおよび／またはトラックエラー信号が供給される。このフォーカスおよび／またはトラックエラー信号の振幅に依存して、エラー検出器４５は評価回路３０を介して給電電圧を上昇させる。これにより引き続いて走査ユニット５５の位置決め手段１５に対する制御ループゲインを上げることができ、フォーカスおよび／またはトラックエラー信号の振幅増大の原因であり得る振動に対処することができる。
【００１６】
評価回路３０は例えばドライブのプロセッサを含んでおり、このプロセッサは電圧供給ユニット３５を制御し、これによって給電電圧をローディングモータ５、駆動モータ１０、および走査ユニット５５の位置決め手段１５の目下最大の電圧要求に依存して調整する。
【００１７】
図２には、評価回路３０によって制御される電圧供給ユニット３５が示されており、ここでは評価回路３０のドライブのプロセッサは図示されておらず、このドライブのプロセッサの第１制御出力側６０および第２制御出力側６５だけが示されている。第１制御出力側６０は、電圧供給ユニット３５のスイッチモード電源２５の第１デジタル制御入力側７０に接続されている。第２制御出力側６５はスイッチモード電源２５の第２デジタル制御入力側７５に接続されている。さらにスイッチモード電源２５には給電電圧（＋）が、第３入力側１１５を介して供給される。ここではスイッチモード電源２５の出力側１２０に、ローディングモータ５、駆動モータ１０、および走査ユニット５５の位置決め手段１５に対する所望の給電電圧が供給される。したがってスイッチモード電源２５の制御入力側７０，７５における２つの入力信号によって、４つの異なる電圧を、給電電圧（＋）から、ローディングモータ５、駆動モータ１０、および走査ユニット５５の位置決め手段１５の給電のために調整することができる。ないしは給電電圧（＋）から導出された、４つの異なる電圧の間で切り替えが行われる。ローディングモータ５、駆動モータ１０、および走査ユニット５５の位置決め手段１５に対してそれぞれ別個に給電しなけばならない場合、給電電圧（＋）と、スイッチモード電源２５の４つのスイッチ状態とを適切に選択すれば、その都度必要な給電を保証することができる。
【００１８】
図３では、評価回路３０によって制御される択一的な電圧供給ユニット３５が示されている。ここで、この図３でも同様に図示されていない、評価回路３０のドライブのプロセッサの第１制御入力側６０は、第１のベース前置抵抗８０を介して、第１ｎｐｎバイポーラトランジスタ９０のベースに接続されている。このトランジスタのコレクタは、シリーズ制御器２０の基点１３５に接続されており、そのエミッタは第２ｎｐｎバイポーラトランジスタ９５のコレクタに接続されている。ここでは第２制御出力側６５は、第２ベース前置抵抗８５を介して第２ｎｐｎバイポーラトランジスタ９５のベースに接続されており、そのエミッタは基準電位１１０に接続されている。第１ｎｐｎバイポーラトランジスタ９０のコレクタには、第１ツェナーダイオード１２５のカソードが接続されており、このダイオードのアノードは第１ｎｐｎバイポーラトランジスタ９０のエミッタに接続されている。第１ｎｐｎバイポーラトランジスタ９０のエミッタには、第２ツェナーダイオード１３０のカソードが接続されており、このダイオードのアノードは基準電位１１０に接続されている。入力電圧が、シリーズ制御器２０の入力側１４０に供給されている。シリーズ制御器２０の出力側１４５と、基点１３５との間には、入力電圧に依存しないで制御ループによって調整された、例えば７ボルトの固定の電圧が印加される。第１制御出力側６０および第２制御出力側６５を介して、第１ｎｐｎバイポーラトランジスタ９０ないしは第２ｎｐｎバイポーラトランジスタ９５を導通または遮断することができる。これによってシリーズ制御器２０の出力側１４５と基準電位１１０との間で、ツェナーダイオード１２５，１３０の導通状態に応じて４つの異なる電圧値を調整することができ、これらをローディングモータ５、駆動モータ１０、および走査ユニット５５の位置決め手段１５に供給することができる。
【００１９】
図４には、電圧供給ユニット３５を制御する評価回路３０の動作の仕方を説明する流れ図が示されている。プログラムポイント２００では評価回路３０によって、センサ機構５０がコンパクトディスクプレーヤ１のドライブへのコンパクトディスク挿入を検出したか否かを検査する。検出した場合はプログラムポイント２０５に進み、そうでない場合はプログラムポイント２１０に進む。プログラムポイント２０５では、２つの制御出力側６０，６５に制御信号が供給され、これらの信号は、所要の電圧が電圧供給ユニット３５でまだ調整設定されていない場合、電圧供給ユニット３５において、ローディングモータ５に必要な給電電圧への切り替えを行う。つぎにこのプログラムは終了する。プログラムポイント２１０では、エラー検出器４５によって検出された、フォーカスおよび／またはトラックエラー信号の振幅が所定の値を上回ったか否かが検査される。上回った場合はプログラムポイント２１５に進み、そうでない場合はプログラムポイント２２０に進む。プログラムポイント２１５では、２つの制御出力側６０，６５に制御信号が供給され、これらの制御信号は、振動に対処するために走査ユニット５５の位置決め手段１５に給電しなければならない電圧への切り替え過程を起動する。これが行われるのはこの電圧がすでに電圧供給ユニット３５によって調整されていない場合である。つぎにこのプログラムは終了する。プログラムポイント２２０では、入力ユニット４０で、コンパクトディスクプレーヤ１のドライブに挿入されたコンパクトディスクを再生するために通常の再生モードが要求されたか否かが検査される。要求された場合はプログラムポイント２２５に進み、そうでない場合はプログラムポイント２３０に進む。プログラムポイント２２５では、２つの制御信号出力側６０，６５に制御信号が供給され、これらの信号は電圧供給ユニット３５において、再生モードに必要な電圧がすでに電圧供給ユニット３５に設定されていない場合、この電圧を駆動モータ１０に供給するために切り替え過程を起動する。つぎにこのプログラムは終了する。プログラムポイント２３０では、２つの制御信号出力側６０，６５に制御信号が供給され、これらの信号は電圧供給ユニット３５が、給電電圧を出力しないようにする。なぜならば給電が要求されていないからである。つぎにこのプログラムは終了する。
【００２０】
以下では図３の電圧供給ユニット３５の例で、所要の給電を得るための相応の切り替え過程を説明する。ここではローディングモータ５の動作のために最大の電圧が、また駆動モータ１０の動作のために最小の電圧が必要であると仮定する。ローディングモータ５を駆動しなければならない場合、２つのｎｐｎバイポーラトランジスタ９０，９５を遮断して、シリーズ制御器２０の出力側１４５と、基準電位１１０との間で最大の電圧が取り出せるようにする。ローディングモータ５の動作のためにはこの電圧値を下回ってはならない。走査ユニット５５の位置決め手段１５の動作のためには、２つのツェナーダイオード１２５，１３０の一方を、相応に並列に接続されたｎｐｎバイポーラトランジスタ９０，９５によってバイパスし、これによりシリーズ制御器２０の出力側１４５と基準電位１１０との間で電圧値を供給し、ここでこの電圧値は、走査ユニット５５の位置決め手段１５を駆動するために下回ってはならない電圧値である。駆動モータ１０を駆動するために２つのツェナーダイオード１２５，１３０を、並列に接続されたｎｐｎバイポーラトランジスタ９０，９５によってバイパスし、これにより駆動モータ１０を駆動するために必要な電圧が、シリーズ制御器２０の出力側１４５と基準電位１１０との間で下回らないようにし、かつこの電圧がシリーズ制御器２０の固定の電圧に等しくなるようにする。
【００２１】
図４の流れ図がつねに新たに実行される場合、給電は自動的に目下の最大の電圧要求に適合されるため、消費電力を節約することができる。センサ機構５０が、コンパクトディスクの挿入ないしは排出過程の終了を検出すると直ちに、給電はつぎに小さい所要の電圧値に切り替えられる。目下の最大の電圧要求が走査ユニット５５の位置決め手段１５によって振動の影響により決まる場合、つぎに小さい電圧値、すなわちこの実施例では駆動モータ１０を駆動するのに必要な電圧値への切り替えが行われる。この切り替えはエラー検出器４５が、所定の値を下回るフォーカスおよび／またはトラックエラー信号の振幅を検出すると直ちに行われる。
【００２２】
目下の最大の電圧要求が駆動モータ１０によって決まる場合、再生過程の終了後、例えば総再生時間の経過後、またはこの実施例における入力ユニット４０での入力命令によって給電が遮断される。
【００２３】
本発明は、給電電圧要求の異なる手段を有する電気装置であればどのようなものにでも適用することができ、例えばカーラジオおよびＣＤ−ＲＯＭドライブにも適用できる。
【図面の簡単な説明】
【図１】  本発明の電気装置のブロック回路図である。
【図２】  スイッチモード電源を制御する回路装置を示す図である。
【図３】  シリーズ制御器を含む電圧供給ユニットを制御する回路装置を示す図である。
【図４】  電気装置に配置された評価回路の動作の仕方についての流れ図である。
【図４】
0004495338.tif 000002
【図１】
0004495338.tif 000003
【図２】
0004495338.tif 000004
【図３】
0004495338.tif 000005